(57)【要約】【課題】光源部の機能部に対する誤組付を防止することができるＬＥＤ照明装置を提供する。【解決手段】ＬＥＤ３を収容する第１ハウジング５を有し第１ハウジング５からＬＥＤ３に接続された一対の接点部７，９が露出された光源部１１と、第１ハウジング５を収容する第２ハウジング１３を有し第２ハウジング１３内に一対の接点部７，９に接続されＬＥＤ３に電力を供給する一対の被接点部１５，１７が設けられた機能部１９とを備えたＬＥＤ照明装置１において、一対の接点部７，９に、それぞれ外形形状の異なる係合凸部２１，２３を設け、一対の被接点部１５，１７に、それぞれ一対の接点部７，９の係合凸部２１，２３を挿入可能な係合凹部２５，２７を設けた。【選択図】図８
2014170696.tif 000002
【特許請求の範囲】
【請求項１】
ＬＥＤを収容する第１ハウジングを有しこの第１ハウジングから前記ＬＥＤに接続された一対の接点部が露出された光源部と、前記第１ハウジングを収容する第２ハウジングを有しこの第２ハウジング内に前記一対の接点部に接続され前記ＬＥＤに電力を供給する一対の被接点部が設けられた機能部とを備えたＬＥＤ照明装置であって、
前記一対の接点部には、それぞれ外形形状の異なる係合凸部が設けられ、前記一対の被接点部には、それぞれ前記一対の接点部の係合凸部を挿入可能な係合凹部が設けられていることを特徴とするＬＥＤ照明装置。
【請求項２】
請求項１記載のＬＥＤ照明装置であって、
前記一対の接点部の係合凸部のうち少なくともいずれか一方は、前記係合凹部に挿入された状態で前記係合凹部と前記第１ハウジングの回転方向に係合されることを特徴とするＬＥＤ照明装置。
【請求項３】
請求項２記載のＬＥＤ照明装置であって、
前記一方の係合凸部は、直方体状の突部を有し、前記一方の係合凸部が挿入される前記係合凹部は、前記直方体状の突部を挿入可能な長穴状の孔部を有することを特徴とするＬＥＤ照明装置。
【発明の詳細な説明】
【技術分野】
【０００１】
本発明は、ＬＥＤ照明装置に関する。
【背景技術】
【０００２】
従来、ＬＥＤ照明装置としては、ＬＥＤを収容する第１ハウジングを有しこの第１ハウジングからＬＥＤに接続された一対の接点部が露出された光源部としての舟形バルブ、或いはウェッジベースバルブと、第１ハウジングを収容する第２ハウジングを有しこの第２ハウジング内に一対の接点部に接続されＬＥＤに電力を供給する一対の被接点部としての第１ランプ用接点部、或いは第２ランプ用接点部が設けられた機能部とを備えたものが知られている（例えば、特許文献１参照）。
【０００３】
このＬＥＤ照明装置では、同一穴形状の一対の第１ランプ用接点部と、同一クランプ形状の一対の第２ランプ用接点部とを第２ハウジング内の異なる箇所に配置させることにより、タイプの異なる舟形バルブとウェッジベースバルブとを機能部に組付可能としている。
【先行技術文献】
【特許文献】
【０００４】
【特許文献１】特開２００９−２７４６７５号公報
【発明の概要】
【発明が解決しようとする課題】
【０００５】
しかしながら、上記特許文献１のようなＬＥＤ照明装置では、一対の接点部及び一対の被接点部が同一形状であるので、光源部を機能部に対して逆向きに組付けてしまう恐れがあった。このように誤って光源部を機能部に対して逆向きに組付けてしまうと、ＬＥＤは極性を有するので、ＬＥＤが光源としての機能を失い、装置が点灯することがない。
【０００６】
そこで、この発明は、光源部の機能部に対する誤組付を防止することができるＬＥＤ照明装置の提供を目的としている。
【課題を解決するための手段】
【０００７】
請求項１記載の発明は、ＬＥＤを収容する第１ハウジングを有しこの第１ハウジングから前記ＬＥＤに接続された一対の接点部が露出された光源部と、前記第１ハウジングを収容する第２ハウジングを有しこの第２ハウジング内に前記一対の接点部に接続され前記ＬＥＤに電力を供給する一対の被接点部が設けられた機能部とを備えたＬＥＤ照明装置であって、前記一対の接点部には、それぞれ外形形状の異なる係合凸部が設けられ、前記一対の被接点部には、それぞれ前記一対の接点部の係合凸部を挿入可能な係合凹部が設けられていることを特徴とする
このＬＥＤ照明装置では、一対の接点部にそれぞれ外形形状の異なる係合凸部が設けられ、一対の被接点部にそれぞれ一対の接点部の係合凸部を挿入可能な係合凹部が設けられているので、誤って光源部を機能部に対して逆向きに組付けようとしても、係合凸部を係合凹部に挿入することができず、光源部を機能部に組付けることができない。
【０００８】
従って、このようなＬＥＤ照明装置では、光源部の機能部に対する誤組付を防止することができ、ＬＥＤが光源としての機能を失うことがなく、装置の点灯を行うことができる。
【０００９】
請求項２記載の発明は、請求項１記載のＬＥＤ照明装置であって、前記一対の接点部の係合凸部のうち少なくともいずれか一方は、前記係合凹部に挿入された状態で前記係合凹部と前記第１ハウジングの回転方向に係合されることを特徴とする。
【００１０】
このＬＥＤ照明装置では、一対の接点部の係合凸部のうち少なくともいずれか一方が係合凹部に挿入された状態で係合凹部と第１ハウジングの回転方向に係合されるので、第１ハウジングが第２ハウジング内で回転することがなく、ＬＥＤの照射方向を規定でき、安定して必要な方向に光を照射することができる。
【００１１】
請求項３記載の発明は、請求項２記載のＬＥＤ照明装置であって、前記一方の係合凸部は、直方体状の突部を有し、前記一方の係合凸部が挿入される前記係合凹部は、前記直方体状の突部を挿入可能な長穴状の孔部を有することを特徴とする。
【００１２】
このＬＥＤ照明装置では、一方の係合凸部が直方体状の突部を有し、一方の係合凸部が挿入される係合凹部が直方体状の突部を挿入可能な長穴状の孔部を有するので、簡易な構造で第１ハウジングの回転を防止してＬＥＤの照射方向を規定することができる。
【発明の効果】
【００１３】
本発明によれば、光源部の機能部に対する誤組付を防止することができるＬＥＤ照明装置を提供することができるという効果を奏する。
【図面の簡単な説明】
【００１４】
【図１】本発明の実施の形態に係るＬＥＤ照明装置の光源部の斜視図である。
【図２】本発明の実施の形態に係るＬＥＤ照明装置の光源部の分解斜視図である。
【図３】本発明の実施の形態に係るＬＥＤ照明装置の機能部の斜視図である。
【図４】本発明の実施の形態に係るＬＥＤ照明装置の機能部の分解斜視図である。
【図５】（ａ）は本発明の実施の形態に係るＬＥＤ照明装置のスイッチ部を組付けるときの斜視図である。（ｂ）は本発明の実施の形態に係るＬＥＤ照明装置の第２ハウジングにスイッチ部を組付けるときの斜視図である。
【図６】本発明の実施の形態に係るＬＥＤ照明装置の第２ハウジングにバスバとターミナルとスイッチカバーとを組付けるときの斜視図である。
【図７】本発明の実施の形態に係るＬＥＤ照明装置の第２ハウジングにワイヤハーネスと圧接カバーとを組付けるときの斜視図である。
【図８】本発明の実施の形態に係るＬＥＤ照明装置の機能部に光源部を組付けるときの斜視図である。
【図９】本発明の実施の形態に係るＬＥＤ照明装置の斜視図である。
【図１０】図９のＸ−Ｘ断面図である。
【図１１】（ａ）は図１０のＹ−Ｙ断面図である。（ｂ）は図１０のＺ−Ｚ断面図である。
【図１２】本発明の実施の形態に係るＬＥＤ照明装置の他例の光源部の斜視図である。
【発明を実施するための形態】
【００１５】
図１〜図１２を用いて本発明の実施の形態に係るＬＥＤ照明装置について説明する。
【００１６】
本実施の形態に係るＬＥＤ照明装置１は、ＬＥＤ３を収容する第１ハウジング５を有しこの第１ハウジング５からＬＥＤ３に接続された一対の接点部７，９が露出された光源部１１と、第１ハウジング５を収容する第２ハウジング１３を有しこの第２ハウジング１３内に一対の接点部７，９に接続されＬＥＤ３に電力を供給する一対の被接点部１５，１７が設けられた機能部１９とを備えている。
【００１７】
そして、一対の接点部７，９には、それぞれ外形形状の異なる係合凸部２１，２３が設けられ、一対の被接点部１５，１７には、それぞれ一対の接点部７，９の係合凸部２１，２３を挿入可能な係合凹部２５，２７が設けられている。
【００１８】
また、係合凸部２３は、係合凹部２７に挿入された状態で係合凹部２７と第１ハウジング５の回転方向に係合される。
【００１９】
さらに、係合凸部２３は、直方体状の突部２９を有し、係合凸部２３が挿入される係合凹部２７は、直方体状の突部２９を挿入可能な長穴状の孔部３１を有する。
【００２０】
図１〜図１１に示すように、ＬＥＤ照明装置１は、例えば、車両の車室内の天井などに配置された車両ボディとトリムとの間などに設けられ、車室内を照らす照明装置などに適用される。このＬＥＤ照明装置１は、光源部１１と、機能部１９とを備えている。
【００２１】
光源部１１は、第１ハウジング５と、ＬＥＤ３と、一対の接点部７，９などを備えている。第１ハウジング５は、合成樹脂材料からなり、筐体状に形成され、内部にＬＥＤ３などを収容する収容部３３が設けられている。この第１ハウジング５は、ＬＥＤ照明装置１が車室内に配置された状態で、開口側が導光レンズ（不図示）などを介して車室内に向けて配置される。
【００２２】
ＬＥＤ３は、車室内を照射する光源としての機能を有する電子部品からなり、所望の回路が形成された基板３５上に実装される。このＬＥＤ３は、電子部品としての抵抗３７と共に基板３５に実装された後、基板３５と一対のバスバ３９，４１とが接続されるように第１ハウジング５の収容部３３に収容される。
【００２３】
一対のバスバ３９，４１は、銅合金などの導電性材料からなり、それぞれ基板接続部４３，４５と、口金接点部４７，４９とを備えている。この一対のバスバ３９，４１は、第１ハウジング５の収容部３３内に収容された状態で、基板接続部４３，４５が基板３５に電気的に接続され、口金接点部４７，４９が第１ハウジング５の両側面に露出され、一対の接点部７，９を構成する。
【００２４】
一対の接点部７，９は、第１ハウジング５の両側面にそれぞれ設けられ、側面における中央部を頂点とし両側に向けて下り傾斜となる傾斜面に、一対のバスバ３９，４１の口金接点部４７，４９が配置されている。この一対の接点部７，９は、光源部１１を機能部１９に組付けた状態で、機能部１９の一対の被接点部１５，１７に電気的に接続される。
【００２５】
機能部１９は、第２ハウジング１３と、一対の被接点部１５，１７などを備えている。第２ハウジング１３は、合成樹脂材料からなり、筐体状に形成され、開口側が車室内に向けて配置されるように車体側に固定される。この第２ハウジング１３には、主にスイッチ部５１を収容するスイッチ収容部５３と、主に光源部１１を収容する光源収容部５５とが設けられている。
【００２６】
スイッチ部５１は、第２ハウジング１３のスイッチ収容部５３に収容される合成樹脂材料からなるスライダ５７と、このスライダ５７内に収容され銅合金などの導電性材料からなるボール５９、スプリング６１、コンタクト６３と、第２ハウジング１３に組付けられスライダ５７を覆う合成樹脂材料からなるスイッチカバー６５とからなる。
【００２７】
このスイッチ部５１は、スライダ５７にボール５９とスプリング６１とコンタクト６３とを収容した後、スライダ５７が第２ハウジング１３のスイッチ収容部５３に収容され、スイッチカバー６５を第２ハウジング１３に組付けることによってスライダ５７が閉塞される。このスイッチ部５１は、第２ハウジング１３に組付けられるバスバ６７を介してワイヤハーネス６９に接続される。
【００２８】
バスバ６７は、銅合金などの導電性材料からなり、複数のスイッチ接点部７１と、複数の圧接刃７３と、ターミナル接続部７５と、一方の被接点部１５とを備えている。複数のスイッチ接点部７１は、バスバ６７が第２ハウジング１３に組付けられた状態で、スイッチ収容部５３に収容されたスイッチ部５１に接続される。
【００２９】
複数の圧接刃７３は、バスバ６７が第２ハウジング１３に組付けられた状態で、第２ハウジング１３内に立設され、電源や機器などに接続された複数の被覆電線からなるワイヤハーネス６９を圧接する。この複数の圧接刃７３は、第２ハウジング１３に圧接カバー７７を組付けることにより、ワイヤハーネス６９がそれぞれ圧接され、バスバ６７とワイヤハーネス６９とが電気的に接続される。
【００３０】
ターミナル接続部７５は、バスバ６７が第２ハウジング１３に組付けられた状態で、バスバ６７と共に第２ハウジング１３に収容される銅合金などの導電性材料からなるターミナル７９のバスバ接続部８１に電気的に接続される。
【００３１】
一方の被接点部１５は、バスバ６７とターミナル７９とが第２ハウジング１３に組付けられた状態で、第２ハウジング１３の光源収容部５５内に配置され、ターミナル７９に設けられた他方の被接点部１７と対向配置される。このバスバ６７の被接点部１５とターミナル７９の被接点部１７とは、機能部１９の一対の被接点部１５，１７を構成する。
【００３２】
一対の被接点部１５，１７は、第２ハウジング１３の光源収容部５５内に配置され、光源部１１を配置可能な間隔を有して対向配置されている。この一対の被接点部１５，１７は、光源部１１を第２ハウジング１３の光源収容部５５に収容した状態で、光源部１１の一対の接点部７，９に接続され、光源部１１と機能部１９とが電気的に接続される。
【００３３】
このように光源部１１を機能部１９に組付けることにより、機能部１９から光源部１１への電力供給が可能となり、機能部１９のスイッチ部５１を断続操作することによって、光源部１１のＬＥＤ３の消灯、点灯が可能となる。
【００３４】
ところで、光源部１１のＬＥＤ３は、極性を有するので、光源部１１の一対の接点部７，９を機能部１９の一対の被接点部１５，１７に対して逆に接続してしまうと、ＬＥＤ３の光源としての機能が失われてしまう。そこで、一対の接点部７，９と一対の被接点部１５，１７とには、光源部１１の機能部１９に対する誤組付を防止する防止構造がなされている。
【００３５】
一対の接点部７，９には、第１ハウジング５の両側面に設けられたそれぞれ外形形状の異なる係合凸部２１，２３が設けられている。一方の接点部７に設けられた係合凸部２１は、角柱状に第１ハウジング５の側面から突設されている。他方の接点部９に設けられた係合凸部２３は、断面がＴ字状になるように第１ハウジング５の側面から突設され、第１ハウジング５の高さ方向に延設された直方体状の突部２９を有する。
【００３６】
この一対の接点部７，９に設けられた係合凸部２１，２３は、光源部１１を機能部１９に組付けた状態で、一対の被接点部１５，１７に設けられた係合凹部２５，２７にそれぞれ挿入される。
【００３７】
一対の被接点部１５，１７には、係合凸部２１，２３を挿入可能な形状の異なる係合凹部２５，２７が設けられている。バスバ６７の一方の被接点部１５に設けられた係合凹部２５は、係合凸部２１を挿入可能な円形状の孔部となっている。ターミナル７９の他方の被接点部１７に設けられた係合凹部２７は、係合凸部２３を挿入可能な円形状の孔部と、直方体状の突部２９を挿入可能な長穴状の孔部３１とが連続形成された孔部となっている。
【００３８】
このように一対の被接点部１５，１７に設けられた係合凹部２５，２７の形状を一対の接点部７，９に設けられた係合凸部２１，２３に対応させることにより、光源部１１を機能部１９に対して逆に組付けようとしても、他方の接点部９に設けられた係合凸部２３を一方の被接点部１５に設けられた係合凹部２５に挿入させることができず、光源部１１を機能部１９に組付けることができない。
【００３９】
このように一対の接点部７，９に設けられた係合凸部２１，２３の外形形状をそれぞれ異ならせ、一対の被接点部１５，１７に設けられた係合凹部２５，２７の形状を係合凸部２１，２３の外形形状に対応させることにより、光源部１１の機能部１９に対する誤組付を防止でき、容易にＬＥＤ３を光源として機能させることができる。
【００４０】
ここで、接点部９に設けられた係合凸部２３は、被接点部１７の係合凹部２７に挿入された状態で、直方体状の突部２９と係合凹部２７の長穴状の孔部３１との第１ハウジング５の回転方向（一対の接点部７，９を結ぶ線を回転軸心とする回転方向）の互いの対向面が係合される。
【００４１】
この直方体状の突部２９と長穴状の孔部３１との係合により、光源部１１を機能部１９に組付けた状態で、第１ハウジング５が回転することがなく、ＬＥＤ３の照射方向を規定することができる。
【００４２】
このように構成されたＬＥＤ照明装置１の組付方法は、まず、スライダ５７に対してボール５９とスプリング６１とコンタクト６３とを組付け、このスライダ５７を第２ハウジング１３のスイッチ収容部５３に収容する。
【００４３】
次に、第２ハウジング１３に対してバスバ６７とターミナル７９とを組付け、スイッチカバー６５を第２ハウジング１３に組付ける。次に、バスバ６７の複数の圧接刃７３に位置するようにワイヤハーネス６９を配置させ、圧接カバー７７を第２ハウジング１３に組付け、ワイヤハーネス６９を複数の圧接刃７３に圧接させる。
【００４４】
そして、予め第１ハウジング５に対して各部品が組付けられた光源部１１を一対の接点部７，９と機能部１９の一対の被接点部１５，１７とが対応するように配置させ、この正規位置に配置された光源部１１を第２ハウジング１３の光源収容部５５に組付け、装置の組付を完了する。
【００４５】
このようなＬＥＤ照明装置１では、一対の接点部７，９にそれぞれ外形形状の異なる係合凸部２１，２３が設けられ、一対の被接点部１５，１７にそれぞれ一対の接点部７，９の係合凸部２１，２３を挿入可能な係合凹部２５，２７が設けられているので、誤って光源部１１を機能部１９に対して逆向きに組付けようとしても、係合凸部２１，２３を係合凹部２５，２７に挿入することができず、光源部１１を機能部１９に組付けることができない。
【００４６】
従って、このようなＬＥＤ照明装置１では、光源部１１の機能部１９に対する誤組付を防止することができ、ＬＥＤ３が光源としての機能を失うことがなく、装置の点灯を行うことができる。
【００４７】
また、係合凸部２３は、係合凹部２７に挿入された状態で係合凹部２７と第１ハウジング５の回転方向に係合されるので、第１ハウジング５が第２ハウジング１３内で回転することがなく、ＬＥＤ３の照射方向を規定でき、安定して必要な方向に光を照射することができる。
【００４８】
さらに、係合凸部２３は直方体状の突部２９を有し、係合凸部２３が挿入される係合凹部２７は直方体状の突部２９を挿入可能な長穴状の孔部３１を有するので、簡易な構造で第１ハウジング５の回転を防止してＬＥＤ３の照射方向を規定することができる。
【００４９】
なお、本実施の形態に係るＬＥＤ照明装置１では、光源部１１の第１ハウジング５がＬＥＤ３を覆うように収容していないが、例えば、図１２に示すように、光源部１１ａにおいて、第１ハウジング５ａを導光材料などで円筒状に形成させ、この第１ハウジング５ａの両側に口金接点部となる一対の接点部７ａ，９ａを設けてもよい。
【００５０】
このような光源部１１ａにおける一対の接点部７ａ，９ａにおいても、それぞれ外形形状の異なる（例えば、一方を＋字状に形成させ、他方を−字状に形成させるなど）係合凸部２１ａ，２３ａを設け、対応する一対の被接点部１５，１７の係合凹部２５，２７を係合凸部２１ａ，２３ａを挿入可能な形状に形成させる。
【００５１】
このように構成することにより、誤って光源部１１ａを機能部１９に対して逆向きに組付けようとしても、係合凸部２１ａ，２３ａを係合凹部２５，２７に挿入することができず、光源部１１ａを機能部１９に組付けることができない。加えて、一対の接点部７ａ，９ａを＋字状や−字状に形成することにより、第１ハウジング５ａが第２ハウジング１３内で回転することがなく、ＬＥＤ３の照射方向を規定でき、安定して必要な方向に光を照射することができる。
【００５２】
また、一対の接点部の形状は、それぞれ外形形状が異なるものであれば、どのような形状であってもよい。加えて、一対の接点部の外形形状は、少なくとも一方の外形形状が第１ハウジングの回転を防止できる形状であることが好ましい。
【符号の説明】
【００５３】
１…ＬＥＤ照明装置
３…ＬＥＤ
５，５ａ…第１ハウジング
７，９，７ａ，９ａ…一対の接点部
１１，１１ａ…光源部
１３…第２ハウジング
１５，１７…一対の被接点部
１９…機能部
２１，２３，２１ａ，２３ａ…係合凸部
２５，２７…係合凹部
２９…直方体状の突部
３１…長穴状の孔部
【図１】
2014170696.tif 000003
【図２】
2014170696.tif 000004
【図３】
2014170696.tif 000005
【図４】
2014170696.tif 000006
【図５】
2014170696.tif 000007
【図６】
2014170696.tif 000008
【図７】
2014170696.tif 000009
【図８】
2014170696.tif 000010
【図９】
2014170696.tif 000011
【図１０】
2014170696.tif 000012
【図１１】
2014170696.tif 000013
【図１２】
2014170696.tif 000014